(57)【要約】【課題】電源供給路制御の動作時における省電力化が図られたリモートコントロール式コンセントを提供する。【解決手段】外部機器に対する電源供給路を制御する双安定リレー及びリモコン信号受信装置を備えたコンセント１と、リモコン信号送信装置を備えたリモコン装置２と、から構成される。また、コンセントに備えられた制御条件判断手段は、リモコン装置から設定される条件情報と、センサからの情報と、の関係に基づいて条件判断を行い、該コンセントは該条件判断に基づいて外部機器に対する電源供給路を制御する。さらに、前記リモコン装置に対して条件情報が設定され、該リモコン装置に備えられた制御条件判断手段は、該条件情報と、センサからの情報と、の関係に基づいて条件判断を行い、該リモコン装置は該条件判断を含むリモコン信号を送信する。【選択図】図１
2007215367.tif 000002
【特許請求の範囲】
【請求項１】
リモコン信号受信装置を備えたコンセントと、リモコン信号送信装置を備えたリモコン装置と、から構成されるリモートコントロール式コンセントであって、
前記コンセントが外部機器に対する電源供給路を制御する双安定リレーを備え、
該コンセントが前記リモコン装置から送信される信号を受信し、
該双安定リレーが該信号に基づいて制御されることを特徴とするリモートコントロール式コンセント。
【請求項２】
前記コンセントに備えられた制御条件判断手段から得られる条件判断に基づいて、該コンセントが外部機器に対する電源供給路を制御することを特徴とする請求項１に記載のリモートコントロール式コンセント。
【請求項３】
前記コンセントに備えられた制御条件判断手段が、条件情報と、該コンセントに備えられたセンサから取得した情報と、の関係に基づいた条件判断を行うことを特徴とする請求項２に記載のリモートコントロール式コンセント。
【請求項４】
前記コンセントが、前記リモコン装置から送信された前記条件情報を受信し設定することを特徴とする請求項２または３に記載のリモートコントロール式コンセント。
【請求項５】
前記リモコン装置が、条件情報を読み取ることを特徴とする請求項３または４に記載のリモートコントロール式コンセント。
【請求項６】
前記リモコン装置が、該リモコン装置に備えられた制御条件判断手段から得られる条件判断に基づいて、外部機器に対する電源供給路を制御する信号を送信することを特徴とする請求項１乃至５のいずれかに記載のリモートコントロール式コンセント。
【請求項７】
前記リモコン装置が、前記の条件情報を設定し、
該リモコン装置に備えられた制御条件判断手段が、該条件情報と、該リモコン装置に備えられたセンサから取得した情報と、の間に介在する関係に基づいた条件判断を行うことを特徴とする請求項６に記載のリモートコントロール式コンセント。
【請求項８】
前記リモコン装置が、前記の条件情報を読み取ることを特徴とする請求項７に記載のリモートコントロール式コンセント。
【発明の詳細な説明】
【技術分野】
【０００１】
本発明は、リモートコントロール式コンセントであって、例えば、遠隔からの電源供給路制御に関するものである。
【背景技術】
【０００２】
現在の市場では、リモートコントロール（即ち、遠隔制御；以下、リモコンと略す）によって、当該機器から離れた場所から電源制御を行うことができる機器が増えており、例えば、リモコンに対応したテレビの電源を入れたり、切ったりすることが一般的になっている。なお、前記のリモコンは、リモコン信号送信装置を備えた機器とリモコン信号受信装置を備えた機器との間で、リモコン信号が送受信されることによって実現されることが多い。
【０００３】
さらに、リモコンに対応した機器でなくても、コンセントを備えリモコンに対応した電源分配器（例えば、電源タップ；以下、リモコン対応電源分配器と称す）に、該リモコン非対応外部機器（以下、外部機器と略す）の電源プラグを差し込んで、リモコンを可能にする方法もある（例えば、特許文献１，２，３参照）。
【０００４】
なお、前記のようなリモコン対応電源分配器のスイッチング制御には、単安定リレーが採用されていることが多い。前記の単安定リレーの機構は、スイッチング動作状態で常に電力を消費することが知られているものである。
【０００５】
また、市場においては、特定の条件（例えば、時刻（または、時間）や気温）によって、コンセントに対する電源供給制御（例えば、通電（あるいは、給電）または断電）を行う電源分配器も、広く知られている。
【特許文献１】特開２００３−１３３００９（段落［０００７］〜［００１４］等）。
【特許文献２】特開２０００−２６１８６４（段落［０００４］〜［００１１］等）。
【特許文献３】特開平１１−０５５８７６（段落［０００４］等）。
【発明の開示】
【発明が解決しようとする課題】
【０００６】
上述のようなリモコン対応電源分配器のスイッチング制御（即ち、電源供給路の制御）では、スイッチング制御の動作状態を維持するために電力が消費されていた。即ち、本来の電源供給とは異なる箇所で電力が浪費されていた。
【０００７】
また、前記のような特定の条件をコンセントに対して設定する場合には、電源分配器を直接操作して該条件を設定する必要があるため、該電源分配器の利用者が、煩わしくも電源分配器の設置場所まで移動し直接操作していた。例えば、タイマに連動して通電または断電を行うコンセントの場合には、該タイマの設置場所へ移動し該タイマを直接操作して、所望の時刻（または時間）と、該時刻における動作（例えば、通電または断電）を設定していた。
【０００８】
さらに、外部機器（例えば、電気ストーブや加湿器）に対する電源を制御するためのセンサは、通常、その外部機器に対する利用者（即ち、リモコン信号送信装置の使用者）から離れた位置に設置されていることが多い。そのため、前記センサは前記利用者の周囲の状況（例えば、気温や湿度）を読み取ることができず、該周囲の状況に合わせて、前記の外部機器に対する電源を制御することができなかった。さらに、その不適切な制御のために、電力浪費が発生することもあった。
【０００９】
本発明は、前記課題に基づいてなされたものであって、電源供給路の制御の動作時における省電力化が図られたリモートコントロール式コンセントを提供することにある。
【課題を解決するための手段】
【００１０】
本発明は、前記課題の解決を図るために、請求項１記載の発明は、リモコン信号受信装置を備えたコンセントと、リモコン信号送信装置を備えたリモコン装置と、から構成されるリモートコントロール式コンセントであって、前記コンセントが外部機器に対する電源供給路を制御する双安定リレーを備え、該コンセントが前記リモコン装置から送信される信号を受信し、該双安定リレーが該信号に基づいて制御されることを特徴とする。
【００１１】
請求項２記載の発明は、請求項１記載の発明において、前記コンセントに備えられた制御条件判断手段から得られる条件判断に基づいて、該コンセントが外部機器に対する電源供給路を制御することを特徴とする。
【００１２】
請求項３記載の発明は、請求項２記載の発明において、前記コンセントに備えられた制御条件判断手段が、条件情報と、該コンセントに備えられたセンサから取得した情報と、の関係に基づいた条件判断を行うことを特徴とする。
【００１３】
請求項４記載の発明は、請求項２または３に記載の発明において、前記コンセントが、前記リモコン装置から送信された前記条件情報を受信し設定することを特徴とする。
【００１４】
請求項５記載の発明は、請求項３または４に記載の発明において、前記リモコン装置が、条件情報を読み取ることを特徴とする。
【００１５】
請求項６記載の発明は、請求項１乃至５のいずれかに記載の発明において、前記リモコン装置が、該リモコン装置に備えられた制御条件判断手段から得られる条件判断に基づいて、外部機器に対する電源供給路を制御する信号を送信することを特徴とする。
【００１６】
請求項７記載の発明は、請求項６に記載の発明において、前記リモコン装置が、前記の条件情報を設定し、該リモコン装置に備えられた制御条件判断手段が、該条件情報と、該リモコン装置に備えられたセンサから取得した情報と、の間に介在する関係に基づいた条件判断を行うことを特徴とする。
【００１７】
請求項８記載の発明は、請求項７に記載の発明において、前記リモコン装置が、前記の条件情報を読み取ることを特徴とする。
【００１８】
前記の請求項１記載の発明によれば、前記リモコン装置で双安定リレーを制御できる。また、前記コンセントは双安定リレーを備えることができる。
【００１９】
前記の請求項２記載の発明によれば、前記制御条件判断手段から条件判断を取得できる。
【００２０】
前記の請求項３記載の発明によれば、前記コンセントに備えられた前記センサから情報を取得できる。
【００２１】
前記の請求項４記載の発明によれば、前記リモコン装置は条件情報を送信できる。
【００２２】
前記の請求項５記載の発明によれば、前記の条件情報を取得できる。
【００２３】
前記の請求項６記載の発明によれば、前記制御条件判断手段から条件判断を取得できる。
【００２４】
前記の請求項７記載の発明によれば、前記リモコン装置に備えられたセンサから情報を取得できる。
【００２５】
前記の請求項８記載の発明によれば、前記の条件情報を取得できる。
【発明の効果】
【００２６】
以上示したように請求項１記載の発明によれば、双安定リレーによって電源供給路を制御するため、電力を省ける。
【００２７】
請求項２記載の発明によれば、条件判断に基づいて、電源供給路を制御できる。
【００２８】
請求項３記載の発明によれば、条件情報と、センサから取得した情報との関係で、条件判断を行うことができる。
【００２９】
請求項４記載の発明によれば、前記コンセントは条件情報を受信できる。
【００３０】
請求項５記載の発明によれば、前記の条件情報を利用できる。
【００３１】
請求項６記載の発明によれば、条件判断に基づいて、電源供給路を制御する信号を送信できる。
【００３２】
請求項７記載の発明によれば、条件情報と、センサから取得した情報との関係で、条件判断を行うことができる。
【００３３】
請求項８記載の発明によれば、前記の条件情報を利用できる。
【００３４】
これらを以って電力制御機器の分野に貢献できる。
【発明を実施するための最良の形態】
【００３５】
以下、本発明の実施の第１乃至第３形態におけるリモートコントロール式コンセントを図面等に基づいて詳細に説明する。本発明の実施の形態は、外部機器に対する電源供給路を制御する双安定リレー及びリモコン信号受信装置を備えたコンセントと、リモコン信号送信装置を備えたリモコン装置と、から構成される。
【００３６】
また、前記コンセントは、該コンセントの電源供給路制御のための情報（以後、条件情報と称する）が前記リモコン装置によって設定された後に、該条件情報と、センサ（例えば、該コンセントに備えられたセンサ）からの情報と、の関係に基づいて（例えば、両者の情報を比較して）条件判断する手段（以後、制御条件判断手段と称する）によって判断し、その得られた判断によって、外部機器に対する電源供給路を制御する。
【００３７】
さらに、前記リモコン装置には、条件情報が設定された後に、該条件情報と、センサ（例えば、該リモコン装置に備えられたセンサ）からの情報と、の関係に基づいて条件判断する手段（即ち、制御条件判断手段）によって判断し、その得られた判断によって、外部機器に対する電源供給路を制御するリモコン信号を送信する。
【００３８】
［本実施の第１形態］
本実施の第１形態の構成を図１（概要図），図２（図１中のリモコン装置２の構成図），図３（図１中のコンセント本体１の構成図）に基づいて以下に説明する。本実施の第１形態は、図１中のリモコン装置２から送信されるリモコン信号（例えば、電波信号や光信号）によって、コンセント本体１に備えられた電源供給路（外部機器に対する電源供給路）を制御（例えば、通電または断電）するものである。
【００３９】
まず、リモコン装置２に備えられたスイッチ部（図２中の符号２３）から送信された信号（通電指示または断電指示を含む信号）が制御部２２によって解釈される。さらに、その解釈の結果に基づいて、コンセント本体１に備えられた電源供給路を制御するための信号（即ち、リモコン信号）が、送信部２１によって無線信号（例えば、電波信号や光信号）に変換し送信される。なお、前記のリモコン装置２の電源となるバッテリ２４には、様々なものが想定されるが、例えば、乾電池などが考えられる。
【００４０】
次に、コンセント本体１に備えられた受信部（図３中の符号１１）が、前記のリモコン装置２から送信されたリモコン信号を受信する。その受信されたリモコン信号は、制御部１２によって解釈され、その解釈結果に含まれる通電指示または断電指示が双安定リレー制御回路（例えば、キープリレー制御回路）１４に伝達される。そして、前記の双安定リレー制御回路１４が、前記の通電指示または断電指示に従って、双安定リレー接点（図３中では２個口の外部接続用端子を有する双安定リレー接点）１６を制御する。
【００４１】
なお、コンセント本体１の主電源は差込口１５から供給される。また、受信部１１，制御部１２，双安定リレー制御回路１４には、差込口１５から電源１３を介して電気が供給される。
【００４２】
以上示したように本実施の第１形態によれば、双安定リレー制御回路及び双安定リレー接点を図３のようにコンセント本体に組み込むことによって、電力を消費することなくコンセント本体のスイッチング制御の状態を維持できる。
【００４３】
［本実施の第２形態］
本実施の第２形態の構成を図４（概要図），図５（図４中のコンセント本体４の構成図）に基づいて以下に説明する。本実施の第２形態は、図４中のリモコン装置３から送信される信号に含まれる時刻または時間情報をコンセント本体４に対して設定し、該コンセント本体４に備えられた電源供給路の制御に関して、該時刻または時間を契機に制御するものである。なお、リモコン装置３の構成は図２のものと同じ構成であるため、図２中の符号で示すものと同じものは詳細な説明を省略する。
【００４４】
まず、リモコン装置３に備えられたスイッチ部２３から送信された信号を制御部２２によって解釈し、その解釈の結果に基づいて、コンセント本体４に備えられた電源供給路を制御するための信号（即ち、リモコン信号）が、送信部２１によって無線信号に変換し送信される。なお、スイッチ部２３から送信された信号及び前記リモコン信号には、条件情報（例えば、時刻または時間情報）及び通電指示または断電指示が含まれる。
【００４５】
次に、コンセント本体４に備えられた受信部（図５中の符号４１）が、前記のリモコン装置３から送信されたリモコン信号を受信する。その受信されたリモコン信号は制御部４２によって解釈されて、さらに、制御部４２よって、前記の条件情報が記憶（設定と見做す）される。
【００４６】
次に、コンセント本体４に備えられた制御条件判断手段は、前記の条件情報と、コンセント本体４に備えられたセンサから取得した情報と、の関係に基づいて条件判断を行う。例えば、タイマや時計を時間センサと見做して、前記の条件情報と、該時間センサから取得した情報と、の関係に基づいて条件判断を行うこともできる。なお、前記の関係とは、特定の関係式を満たすことであり、例えば、「前記の条件情報よりセンサから取得した情報中の値が大きい」などが考えられる。
【００４７】
次に、前記制御部４２によって、前記の制御条件判断手段から得られた判断に基づき、前記の解釈結果に含まれる通電指示または断電指示が双安定リレー制御回路４４に伝達され、図３と同様に電源供給路が制御される。
【００４８】
例えば、前記タイマから読み取った時刻または時間が、前記の条件情報中の時刻または時間に達したときを、双安定リレーを制御するタイミングとして判断できる。
【００４９】
なお、コンセント本体４の主電源は差込口４５から供給される。また、伝送部４１，制御部４２，双安定リレー制御回路４４には、差込口４５から電源４３を介して電気が供給される。
【００５０】
以上示したように本実施の第２形態によれば、利用者はコンセントが設置された場所に移動せずに、コンセントから給電する外部機器に係る電源供給条件（例えば、電源供給時刻，電源供給時間など）と、該電源供給条件に係る動作（例えば、通電または断電）と、をリモコン装置によって遠隔設定できる。
【００５１】
［本実施の第３形態］
本実施の第３形態の構成を図６（概略図），図７（図６中のリモコン装置５の構成図）に基づいて以下に説明する。本実施の第３形態は、図６中のリモコン装置５に備えられたセンサ（例えば、温度センサ，湿度センサなど）から得られる値と、予め設定された条件情報に含まれる値と、の関係に基づいて、コンセント本体１に対してリモコン信号を送信し、該コンセント本体１に備えられた電源供給路を制御するものである。なお、コンセント本体１の構成は、図３のものと同じ構成であるため、図３中の符号で示すものと同じものは詳細な説明を省略する。また、図６中のリモコン装置５の電源となるバッテリ５４には、図２中のバッテリ２４と同様のものが想定される。
【００５２】
まず、リモコン装置５に対して、前記の条件情報（例えば、温度もしくは湿度または温度湿度に関する判断条件）を予め記憶（設定）させる。
【００５３】
次に、リモコン装置５に備えられた制御条件判断手段は、前記リモコン装置５に備えられたセンサ（例えば、温度センサ５５，湿度センサ５６）から得られる値と、前記の条件情報と、の関係に基づいて条件判断を行う。なお、前記の条件情報を読み取る方法は、例えば、スイッチ部５３から読み取る方法を採っても良い。
【００５４】
次に、制御部５２は、前記の判断に基づいて、コンセント本体１に備えられた電源供給路を制御する信号（即ち、リモコン信号）を、送信部５１内で無線信号に変換して送信する。例えば、制御部５２に備えられた前記の制御条件判断手段は、該センサが感知した値が前記の条件情報中の値より小さいか否かを判断することでも良い。
【００５５】
そして、制御部５２は、前記の判断の結果（例えば、コンセント本体１の電源供給路に対する断電指示）が含まれる信号（即ち、リモコン信号）を、送信部５１によって無線信号に変換して送信する。
【００５６】
以上示したように本実施の第３形態によれば、リモコン装置周辺（即ち、前記コンセントから給電される外部機器の利用者周辺）の状況（例えば、センサによって感知される気温または湿度）に応じて、前記コンセントに備えられた電源供給路を制御できるため、該利用者に係る該外部機器の電源を適切に制御できる。
【００５７】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００５８】
例えば、本実施の第１乃至３形態における変形例として、リモコン装置とコンセント本体を通信ケーブルで接続し、有線信号による制御を行うこともできる。
【００５９】
また、本実施の第１乃至３形態における変形例として、リモコン装置とコンセント本体の各々にセンサ及び制御条件判断手段を備えても良い。
【図面の簡単な説明】
【００６０】
【図１】本実施の第１形態における概要図。
【図２】本実施の第１形態におけるリモコン装置の構成図。
【図３】本実施の第１形態におけるコンセント本体の構成図。
【図４】本実施の第２形態における概要図。
【図５】本実施の第２形態におけるコンセント本体の構成図
【図６】本実施の第３形態における概略図。
【図７】本実施の第３形態におけるリモコン装置の構成図。
【符号の説明】
【００６１】
１，４…コンセント本体
２，３，５…リモコン装置
１１，４１…受信部
１２，２２，４２，５２…制御部
１３，４３…電源
１４，４４…双安定リレー制御回路
１５，４５…外部コンセントの差し込み口
１６，４６…双安定リレー接点
２１，５１…送信部
２３，５３…スイッチ部
２４，５４…バッテリ
５５…温度センサ
５６…湿度センサ
【図１】
2007215367.tif 000003
【図２】
2007215367.tif 000004
【図３】
2007215367.tif 000005
【図４】
2007215367.tif 000006
【図５】
2007215367.tif 000007
【図６】
2007215367.tif 000008
【図７】
2007215367.tif 000009